(57)【要約】【課題】リンクの長さを短くでき、障子の突き出し量を適正量に抑えることができると共に、障子の垂れ下がりを抑制することができる開口部装置を提供する。【解決手段】建物の開口部に設けられる上枠２ａ、下枠２ｂ及び左右の縦枠２ｃ，２ｄからなる枠体２と、その上枠２ａ及び下枠２ｂにそれぞれガイド３ａ，３ｂを介して左右方向に移動可能に設けられた移動体４，４と、該移動体４にリンク５ａ〜５ｄ（及び回動アーム６を含む）を介して前記枠体２内の閉鎖位置イから屋外の第１開放位置ロに平行に突き出し可能に支持された障子７と、前記リンク５ａ〜５ｃ及び移動体４を紐状部材８を介して操作して閉鎖位置イから第１開放位置ロへの障子７の開閉と、第１開放位置ロから一側方の第２開放位置ハへの障子７のスライドとを行う操作部９とを備えている。【選択図】          図６
2004263492.tif 000002
【特許請求の範囲】
【請求項１】
建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを行う操作部とを備えたことを特徴とする開口部装置。
【請求項２】
建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体をワイヤにより操作して閉鎖位置から第１開放位置への障子の開閉及び第１開放位置から一側方の第２開放位置への障子のスライドを連続的に行う操作部とを備え、前記リンクのうち、少なくとも下部の１つのリンクにはプーリが設けられ、該プーリには中心及びその両側にピンが突設され、前記下枠には前記ピンをガイドして障子の開閉とスライドを切替える切替部材が設けられていることを特徴とする開口部装置。
【請求項３】
建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に回動可能に支持された障子取付部材に前記障子の一側部が着脱可能に取付けられていることを特徴とする開口部装置。
【請求項４】
建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に前記障子の一側部が支持されていると共に障子を上下に移動調整する建付調整手段が設けられていることを特徴とする開口部装置。
【発明の詳細な説明】
【０００１】
【発明の属する技術分野】
本発明は、障子の前方への突き出し開閉及び一側方へのスライドを可能とした開口部装置に関する。
【０００２】
【従来の技術】
この種の開口部装置としては、建物の開口部に設けられる上枠、下枠及び左右の縦枠からなる枠体内に、リンク（例えば平行リンク）を介して障子を閉鎖位置から屋外へ突き出し（持ち出し）、更に一側方へ移動させて開放するようにした窓が知られている（例えば特開平８−３０３１０３号公報、特開２００２−３５７０４８号公報等参照。）。このような窓においては、障子を枠体内から屋外の一側方へ開放移動することができるため、枠体内で障子がスライドする窓と比べて窓を大きく開放することができる。
【０００３】
【特許文献１】
特開平８−３０３１０３号公報
【特許文献２】
特開２００２−３５７０４８号公報
【０００４】
【発明が解決しようとする課題】
しかしながら、従来の開口部装置においては、主としてリンクのみで障子の突き出し及び一側方への移動を行うように構成されているため、長さの長いリンクが必要であった。このため、障子の突き出し量が大きくなり、屋外側に面格子を取付けことが困難であったり、障子の垂れ下がりが生じたりすることがあった。
【０００５】
本発明は、前記事情を考慮してなされたもので、リンクの長さを短くでき、障子の突き出し量を適正量に抑えることができると共に、障子の垂れ下がりを抑制することができる開口部装置を提供することを目的とする。
【０００６】
【課題を解決するための手段】
本発明のうち、請求項１の発明は、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備えたことを特徴とする。
【０００７】
請求項２の発明は、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、少なくとも下部の１つのリンクにはプーリが設けられ、該プーリには中心及びその両側にピンが突設され、前記下枠には前記ピンをガイドして障子の開閉とスライドを切替える切替部材が設けられていることを特徴とする。
【０００８】
請求項３の発明は、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に回動可能に支持された障子取付部材に前記障子の一側部が着脱可能に取付けられていることを特徴とする。
【０００９】
請求項４の発明は、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に前記障子の一側部が支持されていると共に障子を上下に移動調整する建付調整手段が設けられていることを特徴とする。
【００１０】
【発明の実施の形態】
以下に、本発明の実施の形態を添付図面に基いて詳述する。図１は本発明の実施の形態を示す開口部装置の縦断面図、図２は同開口部装置の障子開状態を示す縦断面図、図３は同開口部装置の横断面図、図４は同開口部装置の障子スライド開放状態を示す横断面図である。
【００１１】
これらの図において、１は建物の開口部に設けられる開口部装置（突き出しスライド式の窓サッシ）で、この開口部装置１は、上枠２ａ、下枠２ｂ及び左右の縦枠２ｃ，２ｄを枠組してなる枠体（サッシ枠）２と、その上枠２ａ及び下枠２ｂにそれぞれガイド（上下一対のレール）３ａ，３ｂを介して左右方向に移動可能に設けられた移動体４，４と、該移動体４，４にリンク５ａ〜５ｄを介して前記枠体２内の閉鎖位置イから屋外の第１開放位置ロに平行に突き出し可能に支持された障子７と、前記リンク５ａ〜５ｄ及び移動体４をワイヤ（紐状部材）８を介して操作して閉鎖位置イから第１開放位置ロへの障子７の開閉と、第１開放位置ロから一側方の第２開放位置ハへの障子５のスライドとを連続的に行う操作部９とを備えている。本実施例の操作部９は手動式であり、操作用のハンドル９ａを有しているが、操作部は電動式であっても良く、その場合はハンドルを有しない。
【００１２】
前記障子７は、上框１０ａ、下框１０ｂ及び左右の縦框１０ｃ，１０ｄを框組してなる框体１０内にパネル例えばガラスパネル１１を装着してなる。パネル１１としてはアルミパネル等であっても良い。上枠２ａの屋外側及び下枠２ｂの屋外側はそれぞれ内側に開口した断面略コ字状に形成されて左右方向に沿う上下一対のレール３ａ，３ｂが形成されている。このようにレール３ａ，３ｂを上枠２ａ及び下枠２ｂの枠内に収めたことにより、枠内での移動体４のスライド移動が可能となり、移動体４が外部に露出することがなく、意匠性の向上が図れる。上下の移動体４，４は、図５にも示すようにそれぞれ鋼板を折り曲げ加工してなり、その長さは障子７の左右幅の例えば１／３程度である（なお、１／２〜３／５もあり得る）。
【００１３】
移動体４には上下のレール３ａ，３ｂ間に係合して走行する左右一対の車輪１２，１２が取付けられている。上部の移動体４には上部の一対のリンク５ａ，５ｂの基部が水平回動可能に取付けられ、両リンク５ａ，５ｂの先端により障子７の上部（上框）が支持されている。下部の移動体４には下部の一対のリンク５ｃ，５ｄの基部が水平回動可能に取付けられ、両リンク５ｃ，５ｄの先端により障子７の下部（下框）が支持されている。
【００１４】
リンク５ａ〜５ｄが閉鎖位置イから屋外の第１開放位置ロへの障子７の突き出し（換言すれば屋内外方向への障子の開閉）を行い、移動体４が第１開放位置ロから一側方（図４の右方）の第２開放位置ハへの障子７の移動（換言すれば左右方向への障子のスライド）を行う。このように役割分担することにより前記リンク５ａ〜５ｄの長さを従来のものに比して短くしており、これにより障子７の突き出し量及び垂れ下がりが抑制されている。
【００１５】
前記リンク５ａ〜５ｄのうち、上下１組のリンク５ｂ，５ｄの先端間には図５〜図７に示すように連動軸１３が掛け渡され、この連動軸１３には障子取付部材１４が回動自在に取付けられ、この障子取付部材１４に障子７の一側部（吊元側の縦框１０ｄ）が固着具例えばねじ１５で着脱自在に取付固定される。もう１組のリンク５ａ，５ｃの先端には相対向して軸部１６，１６が突設され、両軸部１６，１６が障子７の上下部（上框及び下框）に設けた軸穴１７，１７に回動可能に嵌合される。前記上下１組のリンク５ｂ，５ｄを連動軸１３で連動させるために、当該リンク５ｂ，５ｄの先端には相対向して角軸部（横断面四角の軸部）１８，１８が突設され、両角軸１８，１８が内部を角中空部（横断面四角の中空部）１３ａとされた連動軸１３の両端部に嵌合されている。この場合、連動軸１３は上下のリンク５ｂ，５ｄ間で上下の角軸部１８，１８に対して上下方向に移動（摺動）可能に支持されている。
【００１６】
連動軸１３の外周は横断面円形であり、前記障子取付部材１４にその長手方向に貫通して形成された軸穴１９には連動軸１３が回動可能に嵌合されている。連動軸１３の上端部と下端部とには、障子取付部材１４の上下端部を当接させてその上下動を規制するリング状の鍔部２０，２０がねじ２１、２１で固定されている。下部の角軸部１８には上下方向に貫通する軸孔２２が形成され、この軸孔２２には連動軸１３及び障子取付部材１４を介して障子７を上下方向に移動調整する建付調整手段としての調整ねじ２３が下方から挿通されている。調整ねじ２３には角軸部１８の上端部に係止されて調整ねじ２３の脱落を防止するストッパー（Ｇリング）２４が取付けられている。前記連動軸１３の角中空部１３ａ内には、前記調整ねじ２３の先端側が螺合する雌ねじ体２５がねじ２６で固定されている。これにより、調整ねじ２３を下方からねじ回しで回すことにより連動軸１３及び障子取付部材１４を介して障子７を上下に移動させて建付調整できるようになっている。
【００１７】
本実施例では、障子７の厚さを例えば４６ｍｍとし、該障子７を枠体２内の閉鎖位置イから屋外の第１開放位置ロに突き出した場合、枠体２の屋外面から障子７の屋外面までの突き出し量が５０．４ｍｍで、枠体２の屋外面と障子７の屋内面との間に所定の隙間例えば１０．４ｍｍが生じるようになっている。この場合、障子７が枠体２の屋外へ平行に突き出して開放されているため、障子７による前方遮蔽効果でプライバシーを確保したまま換気することができる。また、障子７の突き出し時ないし開閉時になるべく屋内外方向に障子７を平行移動させるために、閉鎖位置イでのリンク５ａ〜５ｄの角度（枠体に平行な面に対する角度）αを屋内側に例えば−１５度程度にしている（図３参照）。この位置からリンク５ａ〜５ｄが屋外側へ例えば１０５度回動して丁度屋内外方向に平行になる。
【００１８】
この場合、４つのリンク５ａ〜５ｄのうちの１つのリンクを回動させて他のリンクを追従させようとすると、他のリンクが死点（デッドポイント）で動かなくなることがあることから、これを防止して全てのリンクが確実に動くようにするために、下部の移動体４には２つのリンク５ｃ，５ｄの間にもう１つのリンク（回動アーム）６の基端部が水平回動可能に取付けられている。この回動アーム６の先端には上向きの軸部２７が突設され、該軸部２７が障子７の下部（下框）に設けた軸穴２８に回動可能に嵌合されている（図５参照）。
【００１９】
回動アーム６の基部には前記ワイヤ８を巻き付けたプーリ３０が設けられ、該プーリ３０には中心及びその両側にピン３１ａ〜３１ｃが下向きに突設され、前記下枠２ｂには前記ピン３１ａ〜３１ｃをガイドして障子７の開閉とスライドを切替える切替部材３２が設けられている。前記３つのピン３１ａ〜３１ｃはプーリ３０の直径方向に並んで配置されている（図８〜図９参照）。実施例の場合、図３，図４に示すように下枠２ｂに操作部９が設けられ、この操作部９から平面視で左右にワイヤ８の両端が引き出され、下枠２ｂの両端部に配置したワイヤガイド３３，３３を経由してプーリ３０まで導かれている。
【００２０】
プーリ３０は上下２つの溝３０ａ，３０ｂを有している。左側のワイヤガイド３３から導かれたワイヤ８の一端は一方の溝３０ａに右巻きに巻き付けられて止着されている。右側のワイヤガイド３３から導かれたワイヤ８の他部は他方の溝３０ｂに左巻きに巻き付けられて止着されている。従って、障子７を開けるべく操作部９によりワイヤ８を右回りに操作するとプーリ３０には右回りの力が作用し、障子７を閉めるべくワイヤ８を左回りに操作するとプーリ３０には左回りの力が作用するようになっている。
【００２１】
プーリ３０の下部に直径方向に直線状に並んで突設された３つのピン３１ａ〜３１ｃの配列方向に対して回動アーム６は直角に配置されている。閉鎖位置の回動アーム６のプーリ３０に対応する下枠２ｂの位置に、前記切替部材３２が設けられている。この切替部材３２には、図９に示すように前記３つのピン３１ａ〜３１ｃが一列となって左右方向に移動可能な直線状の第１溝３４と、この第１溝３４の終端（左端）３４ａに位置した左側のピン３１ｂを中央のピン３１ａを支点として左回りに案内する円弧状の第２溝３５と、右側のピン３１ｃを中央のピン３５ａを支点として左回りに案内する円弧状の第３溝３６とが形成されている。ワイヤ８を左回りに操作してプーリ３０を左方へ移動させると、左側のピン３１ｂが第１溝３４の終端（左端）３４ａに位置すると、プーリ３０の左回りの力の作用で左右のピン３１ｂ，３１ｃが第２溝３５と第３溝３６に入って左回りに移動し、プーリ３０と共に回動アーム６が左回りに回動する。第２溝３５及び第３溝３６には、回動アーム６が屋内側に−１５度回動した閉鎖位置で左右のピン３１ｂ，３１ｃの移動を止める終端３５ａ，３６ａが設けられている。
【００２２】
この閉鎖位置の状態が図９の（ａ）に示す閉時の状態である。この状態から障子７を開けるべくワイヤ８を右回りに操作すると、プーリ３０には右回りの力が作用することから左右のピン３１ｂ，３１ｃが第２溝３５及び第３溝３６内を右回りに移動し、これら第２溝３５及び第３溝３６内から出て第１溝３４内に直線状に並び、右回りの回動が第１溝３４によって阻止される。この時、回動アーム６が第１開放位置になり、この第１開放位置の状態が図９の（ｂ）に示す開時の状態である。更にワイヤ８を右回りに操作すると、３つのピン３１ａ〜３１ｃは直線状を保ったまま（すなわち回動アームを屋外方向に向けたまま）第１溝３４に沿って右方へ移動し、これにより回動アーム６と共に移動体４が右方へ移動する。
【００２３】
これにより、障子７が開状態を保ったまま屋外側を右方へスライドすることになり、この時の状態が図９の（ｃ）に示すスライド時の状態である。前記下枠２ｂには、前記第１溝３４と連続して３つのピン３１ａ〜３１ｃを直線状に一列に保ちつつ案内するレール３７が設けられている。このレール３７は３つのピン３１ａ〜３１ｃの片側に接しているため、プーリ３０の回動を阻止することができ、回動アーム６が屋外側に突出した状態を維持しつつ移動体４を左右方向に移動させることができる。
【００２４】
以上の構成からなる開口部装置１の作用を述べる。閉鎖位置にある障子７を屋外の第１開放位置イに突き出す場合には、操作部９のハンドル９ａを回してワイヤ８を平面視で右回りに操作する。すると、切替部材３２により回動アーム６が図９（ａ）の閉時の状態から同図（ｂ）の開時の状態に回動し、この回動アーム６の回動によりリンク５ａ〜５ｃが追従して回動し、障子７が枠体２内の閉鎖位置イから屋外の第１開放位置ロに突き出しされる。この障子７の開状態で、プライバシーを確保したまま換気ができる。
【００２５】
この状態から障子７を側方へずらして開放感を得たり、障子７の屋外面を清掃したりする場合には、更に操作部９のハンドル９ａを回してワイヤ８を右回りに操作すると、回動アーム６の基部の３つのピン３１ａ〜３１ｃが切替部材３２の第１溝３４及びレール３７に規制されて回動アーム６が屋外方向に突出した状態のまま横方向にスライドする図９（ｃ）のスライド時の状態となり、障子７を第１開放位置ロから一側方の第２開放位置ハに平行移動（スライド）することができる。このようにして障子７を横方向にスライドさせて窓を大きく開放することができるため、開放感が得られると共に、障子７の屋外面を容易に清掃することが可能となる。この状態から操作部９のハンドル９ａの操作でワイヤ８を前記とは逆回り（左回り）に操作すると、前記とは逆の順序で障子７を閉めることができる。
【００２６】
前記開口部装置１によれば、建物の開口部に設けられる上枠２ａ、下枠２ｂ及び左右の縦枠２ｃ，２ｄからなる枠体２と、その上枠２ａ及び下枠２ｂにそれぞれガイド３ａ，３ｂを介して左右方向に移動可能に設けられた移動体４，４と、該移動体４にリンク５ａ〜５ｄ（及び回動アーム６を含む）を介して前記枠体２内の閉鎖位置イから屋外の第１開放位置ロに平行に突き出し可能に支持された障子７と、前記リンク５ａ〜５ｃ及び移動体４をワイヤ８を介して操作して閉鎖位置イから第１開放位置ロへの障子７の開閉と、第１開放位置ロから一側方の第２開放位置ハへの障子７のスライドとを連続的に行う操作部９とを備えているため、すなわち障子７の突き出しをリンク５ａ〜５ｄで行い、障子７のスライドを移動体４で行うというように使い分けたことにより、リンク５ａ〜５ｄの長さを短くでき、障子７の突き出し量を適正量に抑えて面格子の取付けが可能になると共に、障子７の垂れ下がりを抑制することができる。なお、障子７の垂れ下がりを更に抑制するために、下部のリンク５ｃ，５ｄ，６が屋外側へ回動する時にリンク５ｃ，５ｄ，６の先端側が斜め上方を向くように構成されていても良い。
【００２７】
また、前記リンク５ａ〜５ｄ（及び回動アーム６を含む）のうち、少なくとも下部の１つのリンク（回動アーム）６には前記ワイヤ８を巻き付けたプーリ３０が設けられ、該プーリ３０には中心及びその両側にピン３１ａ〜３１ｃが突設され、前記下枠２ｂには前記ピン３１ａ〜３１ｃをガイドして障子７の開閉とスライドを切替える切替部材３２が設けられているため、障子７の開閉とスライドをワイヤ８の操作で容易に行うことが可能となる。更に、前記リンクのうち、上下一組みのリンク５ｂ，５ｄの先端部間には連動軸１３が掛け渡され、該連動軸１３に回動可能に支持された障子取付部材１４に前記障子７の一側部が着脱可能に取付けられているため、障子７の取付け及び取外しが容易になり、施工性及びメンテナンス性の向上が図れる。また、前記リンクのうち、上下一組みのリンク５ｂ，５ｄの先端部間には連動軸１３が掛け渡され、該連動軸１３に前記障子７の一側部が支持されていると共に障子７を上下に移動調整する建付調整手段（調整ねじ）２３が設けられているため、障子７の建付調整が容易にできる。
【００２８】
図１０は他の実施の形態としてのワイヤの配線構造を示す図である。本実施の形態において、前記実施の形態と同一部分は同一符号を付して説明を省略する。本実施の形態では回動アーム６を設ける代わりに、下部の２つのリンク５ｃ、５ｄの基部にプーリ３０ｘ，３０ｙがそれぞれ設けられ、これらのプーリ３０ｘ，３０ｙにワイヤ８が順に巻き付けられている。ワイヤ８は各プーリ３０ｘ，３０ｙ上の所定位置のワイヤ固定部３８，３８でプーリ３０ｘ，３０ｙに対して固定（止着）されている。また、両リンク間５ｃ，５ｄのワイヤ８部分にはワイヤ８の緩みを取るためのワイヤ伸縮調整具４０が取付けられている。本実施の形態によれば、回動アーム６を用いなくても左右のリンク５ｃ，５ｄを確実に回動操作することができる。
【００２９】
以上、本発明の実施の形態（実施例）を図面により詳述してきたが、本発明は前記実施の形態に限定されるものではなく、本発明の要旨を逸脱しない範囲での種々の設計変更等が可能である。例えば、操作部は手動式に限定されず、電動式であっても良い。また、操作部は遠隔操作されるように構成されていても良く、例えば開口部装置が出窓に適用される場合や高さの高い位置の窓に適用される場合などに好適である。紐状部材としては、ワイヤ（ワイヤロープ）以外に、例えば、ケーブル、ピアノ線、チェーン、紐等であっても良い。障子の取付性上、上部のリンク５ａの軸部１６は脱着可能になっていることが好ましい。建具としては、上部のリンク５ａを有しないものであっても良い。前記実施の形態では、ワイヤを巻き付けたプーリにピンが突設されているが、ピンはワイヤを巻き付けたプーリに限定されるものではなく、例えば他のリンクの基部にワイヤを巻き付けないプーリを設け、このプーリにピンを突設しても良い。
【００３０】
【発明の効果】
以上要するに本発明によれば、次のような効果を奏することができる。
【００３１】
（１）請求項１の発明によれば、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを行う操作部とを備えているため、すなわち障子の突き出しをリンクで行い、障子のスライドを移動体で行うというように使い分けたことにより、リンクの長さを短くでき、障子の突き出し量を適正量に抑えることができると共に、障子の垂れ下がりを抑制することができる。
【００３２】
（２）請求項２の発明によれば、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、少なくとも下部の１つリンクにはプーリが設けられ、該プーリには中心及びその両側にピンが突設され、前記下枠には前記ピンをガイドして障子の開閉とスライドを切替える切替部材が設けられているため、請求項１と同じ効果が得られる他に、障子の開閉とスライドを紐状部材の操作で容易に行うことが可能となる。
【００３３】
（３）請求項３の発明によれば、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に回動可能に支持された障子取付部材に前記障子の一側部が着脱可能に取付けられているため、請求項１と同じ効果が得られる他に、障子の取付け及び取外しが容易になり、施工性及びメンテナンス性の向上が図れる。
【００３４】
（４）請求項４の発明によれば、建物の開口部に設けられる上枠、下枠及び左右の縦枠からなる枠体と、その上枠及び下枠にそれぞれガイドを介して左右方向に移動可能に設けられた移動体と、該移動体にリンクを介して前記枠体内の閉鎖位置から屋外の第１開放位置に平行に突き出し可能に支持された障子と、前記リンクと共に移動体を紐状部材により操作して閉鎖位置から第１開放位置への障子の開閉及び第１開放位置から一側方の第２開放位置への障子のスライドを連続的に行う操作部とを備え、前記リンクのうち、上下一組みのリンクの先端部間には連動軸が掛け渡され、該連動軸に前記障子の一側部が支持されていると共に障子を上下に移動調整する建付調整手段が設けられているため、請求項１と同じ効果が得られる他に、障子の建付調整が容易にできる。
【図面の簡単な説明】
【図１】本発明の実施の形態を示す開口部装置の縦断面図である。
【図２】同開口部装置の障子開状態を示す縦断面図である。
【図３】同開口部装置の横断面図である。
【図４】同開口部装置の障子スライド開放状態を示す横断面図である。
【図５】同開口部装置の概略的要部分解斜視図である。
【図６】連動軸部分の断面図である。
【図７】同連動軸部分の斜視図である。
【図８】切替部材の斜視図である。
【図９】切替部材におけピンの動きを説明する説明図である。
【図１０】他の実施の形態としてのワイヤの配線構造を示す図である。
【符号の説明】
１  開口部装置
２  枠体
３ａ，３ｂ  レール（ガイド）
４  移動体
５ａ〜５ｄ  リンク
６  回動アーム（リンク）
７  障子
８  ワイヤ（紐状部材）
９  操作部
１３  連動軸
１４  障子取付部材
２３  調整ねじ（建付調整手段）
３２  切替部材
【図１】
2004263492.tif 000003
【図２】
2004263492.tif 000004
【図３】
2004263492.tif 000005
【図４】
2004263492.tif 000006
【図５】
2004263492.tif 000007
【図６】
2004263492.tif 000008
【図７】
2004263492.tif 000009
【図８】
2004263492.tif 000010
【図９】
2004263492.tif 000011
【図１０】
2004263492.tif 000012